(57)【要約】      （修正有）【課題】処方用レンズブランク構造を提供する。【解決手段】処方用レンズブランク構造は、所定の色を有し、且つ第１外表面１０１及び第１内表面１０２を含む第１レンズ１０と、透明レンズであり、第２外表面及び第２内表面を含む第２レンズ２０と、を含み、該第２レンズの第２外表面は、直接、金型内において、該第１レンズの該第１内表面１０２と結合し、処方レンズブランク１として成型され、使用者が必要な度数に応じて該第２レンズ２０（透明層）を加工研磨するだけで、処方レンズブランク１に成型される。【選択図】図１
2020060754.tif 000002
【特許請求の範囲】
【請求項１】
所定の色を有し、且つ第１外表面及び第１内表面を含む第１レンズと、
透明レンズであり、第２外表面及び第２内表面を含む第２レンズと、
を含み、該第２レンズの第２外表面は、直接、金型内において、該第１レンズの該第１内表面と結合し、処方レンズブランクとして成型される、処方用レンズブランク構造。
【請求項２】
前記第１レンズの該第１外表面は、該第１レンズの該第１内表面に対応する請求項１に記載の処方用レンズブランク構造。
【請求項３】
前記第１レンズの厚さは、０．５ｍｍ〜２ｍｍの間である請求項１に記載の処方用レンズブランク構造。
【請求項４】
前記第２レンズの厚さは、５ｍｍ〜１５ｍｍの間である請求項１に記載の処方用レンズブランク構造。
【請求項５】
前記第１レンズの材料は、ポリアミド（polyamide,PA）又はポリカーボネート（polycarbonate,PC）材料及び染料を予め混合造粒した後の材料、又は染料及び原料をスクリュー混合した材料である請求項１に記載の処方用レンズブランク構造。
【請求項６】
前記第２レンズの該第２外表面及び該第１レンズの該内表面の結合は、鋳造成型、射出成型又は押出成型によって完成される請求項１に記載の処方用レンズブランク構造。
【請求項７】
所定の色を有し、且つ第１外表面及び第１内表面を含む第１レンズと、
透明レンズであり、第２外表面及び第２内表面を含む第２レンズと、
を含み、該第１レンズの該第１内表面は、直接、金型内において、該第２レンズの該第２外表面と結合し、処方レンズブランクとして成型される、処方用レンズブランク構造。
【請求項８】
前記第１レンズの該第１外表面が該第１レンズの該第１内表面に対応する請求項７に記載の処方用レンズブランク構造。
【請求項９】
前記第１レンズの厚さは、０．５ｍｍ〜２ｍｍの間である請求項７に記載の処方用レンズブランク構造。
【請求項１０】
前記第２レンズの厚さは、５ｍｍ〜１５ｍｍの間である請求項７に記載の処方用レンズブランク構造。
【発明の詳細な説明】
【技術分野】
【０００１】
本発明は、レンズブランクに関し、特に、処方用レンズブランク構造に関する。
【背景技術】
【０００２】
一般的に、フラットサングラスレンズの材料を製造する時、先ず、ポリアミド (polyamide, PA)又はポリカーボネート(polycarbonate, PC)等の材料及び染料を予め混合して造粒した後、射出又は鋳造法で厚さの略均一且つフィルタリング能力を有するフラットサングラスレンズを製造する。
【０００３】
具体的には、同じ方法で処方用サングラスレンズを製造する場合、レンズの曲率の関係は、レンズ中心及び辺縁の厚さの差異が比較的大きくなり、レンズの中心及び辺縁のフィルタリング能力を異ならせ、レンズの色の深さの不均一を招き、従って、レンズの外観が美観を損なうだけでなく、使用者がこの種のレンズを装着して景色を見る時の感じも良好ではなくなる。
【０００４】
また、従来技術は、処方サングラスレンズを製造する工程の多くが処方レンズ形状の加工成型後、更に、浸漬又は噴霧塗布の方式でレンズ表面に染色工程を行い、従って、このような製造方法は、レンズの染色の効果を不均一にさせ、且つ戸外で長期使用する耐候性も良好ではない。また、品質の悪い染料は、更に退色して使用者の衣服又は手を汚す可能性があり、同時に処方用レンズの加工実験室の管理も比較的複雑である。従って、比較的良好な処方用レンズブランク構造を如何に提供するかは、重要な課題の１つとなっている。
【先行技術文献】
【特許文献】
【０００５】
【特許文献１】特開２０１７−１７３８４３号公報
【発明の概要】
【発明が解決しようとする課題】
【０００６】
上記従来技術の欠点に鑑み、本発明の目的は、比較的良好な処方用レンズブランク構造を提供することにある。
【課題を解決するための手段】
【０００７】
上記目的を達成する為、本発明実施例において、本発明の処方用レンズブランク構造は、所定の色を有し、第１外表面及び第１内表面を有する第１レンズと、透明レンズであり、第２外表面及び第２内表面を含む第２レンズと、を含み、該第２レンズの該第２外表面は、直接、金型内において該第１レンズの該第１内表面と結合し、処方レンズブランクに成型される。
【０００８】
好ましくは、該第１レンズの該第１外表面は、該第１レンズの該第１内表面に対応する。
【０００９】
好ましくは、該第１レンズの厚さは、０．５ｍｍ〜２ｍｍの間である。
【００１０】
好ましくは、該第２レンズの厚さは、５ｍｍ〜１５ｍｍの間である。
【００１１】
好ましくは、該第１レンズの材料は、ポリアミド（polyamide,PA）又はポリカーボネート（polycarbonate,PC）材料及び染料を予め混合造粒した後の材料、又は染料及び原料をスクリュー混合した材料である。
【００１２】
好ましくは、該第第２レンズの材料は、ポリアミド材料又はポリカーボネート材料である。
【００１３】
好ましくは、該第２レンズ及び該第１レンズの該内表面の結合は、鋳造成型、射出成型又は押出成型によって完成される。
【発明の効果】
【００１４】
上記を総合し、本発明の処方用レンズブランク構造は、従来技術が発生する問題を有効に解決でき、図１に示すように、度数を有するレンズを製造する時、使用者が必要な度数に応じて該第２レンズ２０（透明層）を加工研磨するだけでよく、該第１レンズ１０の厚さは、依然として一致性を保持し、且つ色も均一なレンズである。従って、第１レンズ１０は、色の不均一の問題がなく、使用者が使用時に見る人、事、物体の像に色の差の問題を生じない。
【図面の簡単な説明】
【００１５】
【図１】本発明の実施例に基づく、処方用レンズブランク構造を示す断面説明図である。
【図２】本発明の実施例に基づく、処方用レンズブランク構造を示す断面説明図である。
【発明を実施するための形態】
【００１６】
以下は、特定の具体的実施例により本発明の実施方式を説明し、当業者が本明細書の開示内容により本発明の他の利点及び効果を容易に理解できるようにする。本発明は、その他の異なる具体的実施例によっても実施又は応用でき、本発明の明細書中における各項の細節は、異なる観点及び応用に基づいて本発明の精神を逸脱しない範囲で各種の修飾及び変更を行うこともできる。
【００１７】
本発明の図面が開示する構造、割合、大きさ等は、何れも明細書の開示内容に合わせて当業者に閲読、理解させるためのみであり、本発明の実施可能な限定条件を限定するものではなく、故に技術上の実質的意義を有さず、如何なる構造の修飾、割合関係の変化又は大きさの調整も、本発明が発生で切る効果及び達成する目的に影響を及ぼさない前提において、何れも本発明が開示する技術内容が含む範囲内に入るべきである。
【００１８】
本発明の実施例に基づき、図１に示すように、本発明の処方用レンズブランク１は、第１レンズ１０及び第２レンズ２０を含む。
【００１９】
図１に示すように、本発明の第１レンズ１０は、所定の色を有し、第１外表面１０１及び第１内表面１０２を含む。
【００２０】
また、図１に示すように、本発明の第２レンズ２０は、透明レンズであり、第２外表面２０１及び第２内表面を含む。
【００２１】
第２レンズ２０の第２内表面２０１は、直接、金型（図示せず）内で第1レンズ１０の第１内表面１０２と結合し、処方用レンズブランクとして成型されることができ、図１に示すようである。
【００２２】
具体的には、本発明は、２つの異なる層の結合によって処方用レンズブランクの製造を行うことができ、更に、従来技術が生じる問題を克服できる。第１次成型のレンズは、色の層を有するレンズ半製品（第１レンズ１０である）であり、該第１次成型のレンズは、原料及び色を有する色素を混練後、厚さが均一なレンズブランク半製品に成型したものであり、その厚さａは、０．５ｍｍ〜２ｍｍの間であり、好ましくは、１．５ｍｍである。また、偏光レンズを含む必要がある場合、第１次成型時に偏光層を合わせて加え、それを成型させる。
【００２３】
続いて、第１次成型の半製品（第１レンズ１０である）を第２次成型の金型に入れ、ポリカーボネート（polycarbonate,PC）の同材質を例とし（異なる材質と結合することもできる）、厚さｂが５ｍｍ〜１５ｍｍの間であり、好ましくは、７．５ｍｍである第２レンズ２０（透明層）及び第１レンズ１０が直接金型内で結合成型され、処方用サングラスレンズブランク構造となる。但し、本発明の成型の順序をこれに制限するものではなく、図２に示すようであることもできる。
【００２４】
図２を併せて参照し、それは、本発明のもう１つの実施例を示す。本実施例及び上  記実施例と異なる箇所は、以下である。該第２レンズ２０は、第２外表面２０１及び第２内表面２０２を含み、第１次成型のレンズが透明を呈する半製品であり、その厚さｂは、５ｍｍ〜１５ｍｍの間であり、第１次成型の半製品（第２レンズ２０）を第２次成型の金型に入れ、原料は、ポリアミド（polyamide, PA）又はポリカーボネート（polycarbonate, PC）材料及び色を有する色素を予め混合して造粒した後の材料、又は染料及び原料をスクリュー混合した材料であり、混練後に金型内で厚さａが０．５ｍｍ〜２ｍｍの第１レンズ１０（厚さが均一な色層である）に成型し、該第２レンズ２０の第２外表面２０１が金型内で結合して成型され、処方用サングラスレンズブランク構造となる。また、偏光レンズを含む必要がある場合、第２次成型時に偏光層を加え、それを成型させることもできる。
【００２５】
上記を総合し、本発明の処方用レンズブランク構造は、従来技術が発生する問題を有効に解決でき、図１に示すように、度数を有するレンズを製造する時、使用者が必要な度数に応じて該第２レンズ２０（透明層）を加工研磨するだけでよく、該第１レンズ１０の厚さは、依然として一致性を保持し、且つ色も均一なレンズである。従って、第１レンズ１０は、色の不均一の問題がなく、使用者が使用時に見る人、事、物体の像に色の差の問題を生じない。
【００２６】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００２７】
１０  第１レンズ
１０１  第１外表面
１０２  第１内表面
２０  第２レンズ
２０１  第２外表面
２０２  第２内表面
ａ、ｂ  厚さ
【図１】
2020060754.tif 000003
【図２】
2020060754.tif 000004